【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
光電変換手段と、前記光電変換手段をリセットするリセット手段とを含む、複数画素を備えたＣＭＯＳイメージセンサと、
予め決められたフィールド期間の間に、前記リセット手段により前記光電変換手段を行毎に順次リセットし、前記光電変換手段で発生した電荷信号を行毎に順次読み出すように前記ＣＭＯＳイメージセンサを駆動する駆動手段と、
各フィールドの読み出し開始行が常に一定になるように前記ＣＭＯＳイメージセンサを駆動する第１のモードと、各フィールドの読み出し開始行を前記フィールド毎に変更可能に前記ＣＭＯＳイメージセンサを駆動する第２のモードとのいずれかにより前記駆動手段を制御する制御手段とを有し、
前記制御手段は、前記第２のモードで前記フィールド期間に占める前記光電変換手段の電荷蓄積期間が、前記第１のモードで前記フィールド期間に占める記光電変換手段の電荷蓄積期間よりも短くすると共に、前記第２のモードにおける連続する２フィールド間での前記読み出し開始行の変更行数が、前記第１のモードでの前記電荷蓄積時間から前記第２のモードでの前記電荷蓄積時間を引いた差を、前記ＣＭＯＳイメージセンサの１行あたりの読み出しにかかる時間で除した商以下となるように、前記駆動手段を制御することを特徴とする撮像装置。
【請求項２】
前記制御手段は、手ブレ補正無しの場合に前記第１のモードで制御し、手振れ補正ありの場合に前記第２のモードで制御することを特徴とする請求項１に記載の撮像装置。
【請求項３】
前記制御手段は、電子ズームを実施しない場合に前記第１のモードで制御し、電子ズームを実施する場合に前記第２のモードで制御することを特徴とする請求項１に記載の撮像装置。
【請求項４】
光電変換手段と、前記光電変換手段をリセットするリセット手段とを含む、複数画素を備えたＣＭＯＳイメージセンサと、予め決められたフィールド期間の間に、前記リセット手段により前記光電変換手段を行毎に順次リセットし、前記光電変換手段で発生した電荷信号を行毎に順次読み出すように前記ＣＭＯＳイメージセンサを駆動する駆動手段とを有する撮像装置の制御方法であって、
各フィールドの読み出し開始行が常に一定になるように前記ＣＭＯＳイメージセンサを駆動する第１のモードと、各フィールドの読み出し開始行を前記フィールド毎に変更可能に前記ＣＭＯＳイメージセンサを駆動する第２のモードとのいずれかにより前記駆動手段を制御する制御工程を有し、
前記制御工程では、前記第２のモードで前記フィールド期間に占める前記光電変換手段の電荷蓄積期間が、前記第１のモードで前記フィールド期間に占める記光電変換手段の電荷蓄積期間よりも短くすると共に、前記第２のモードにおける連続する２フィールド間での前記読み出し開始行の変更行数が、前記第１のモードでの前記電荷蓄積時間から前記第２のモードでの前記電荷蓄積時間を引いた差を、前記ＣＭＯＳイメージセンサの１行あたりの読み出しにかかる時間で除した商以下となるように、前記駆動手段を制御することを特徴とする撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００１
【補正方法】変更
【補正の内容】
【０００１】
本発明は、光電変換素子を有する撮像装置及びその制御方法に関し、特に、ローリングシャッターを用いた撮像装置及びその制御方法に関する。
【手続補正４】
【補正対象書類名】明細書
【補正対象項目名】００１４
【補正方法】変更
【補正の内容】
【００１４】
本発明の第１の側面は、本発明の撮像装置は、光電変換手段と、前記光電変換手段をリセットするリセット手段とを含む、複数画素を備えたＣＭＯＳイメージセンサと、予め決められたフィールド期間の間に、前記リセット手段により前記光電変換手段を行毎に順次リセットし、前記光電変換手段で発生した電荷信号を行毎に順次読み出すように前記ＣＭＯＳイメージセンサを駆動する駆動手段と、各フィールドの読み出し開始行が常に一定になるように前記ＣＭＯＳイメージセンサを駆動する第１のモードと、各フィールドの読み出し開始行を前記フィールド毎に変更可能に前記ＣＭＯＳイメージセンサを駆動する第２のモードとのいずれかにより前記駆動手段を制御する制御手段とを有し、前記制御手段は、前記第２のモードで前記フィールド期間に占める前記光電変換手段の電荷蓄積期間が、前記第１のモードで前記フィールド期間に占める記光電変換手段の電荷蓄積期間よりも短くすると共に、前記第２のモードにおける連続する２フィールド間での前記読み出し開始行の変更行数が、前記第１のモードでの前記電荷蓄積時間から前記第２のモードでの前記電荷蓄積時間を引いた差を、前記ＣＭＯＳイメージセンサの１行あたりの読み出しにかかる時間で除した商以下となるように、前記駆動手段を制御することを特徴とする。
【手続補正５】
【補正対象書類名】明細書
【補正対象項目名】００１５
【補正方法】変更
【補正の内容】
【００１５】
本発明の第３の側面は、光電変換手段と、前記光電変換手段をリセットするリセット手段とを含む、複数画素を備えたＣＭＯＳイメージセンサと、予め決められたフィールド期間の間に、前記リセット手段により前記光電変換手段を行毎に順次リセットし、前記光電変換手段で発生した電荷信号を行毎に順次読み出すように前記ＣＭＯＳイメージセンサを駆動する駆動手段とを有する撮像装置の制御方法であって、
各フィールドの読み出し開始行が常に一定になるように前記ＣＭＯＳイメージセンサを駆動する第１のモードと、各フィールドの読み出し開始行を前記フィールド毎に変更可能に前記ＣＭＯＳイメージセンサを駆動する第２のモードとのいずれかにより前記駆動手段を制御する制御工程を有し、前記制御工程では、前記第２のモードで前記フィールド期間に占める前記光電変換手段の電荷蓄積期間が、前記第１のモードで前記フィールド期間に占める記光電変換手段の電荷蓄積期間よりも短くすると共に、前記第２のモードにおける連続する２フィールド間での前記読み出し開始行の変更行数が、前記第１のモードでの前記電荷蓄積時間から前記第２のモードでの前記電荷蓄積時間を引いた差を、前記ＣＭＯＳイメージセンサの１行あたりの読み出しにかかる時間で除した商以下となるように、前記駆動手段を制御することを特徴とする。
【手続補正６】
【補正対象書類名】明細書
【補正対象項目名】００４３
【補正方法】変更
【補正の内容】
【００４３】
次に、図６（ａ）〜（ｃ）を参照して手ブレ補正有りモード時の読み出し動作について説明する。手ブレ補正有りモードでは、読み出し開始行を変更した手ブレ補正動作に対応するために、各行の画素での電荷蓄積期間を１／１００ｓｅｃに設定する。上述したように、本実施形態の１行分の画素信号の出力に要する時間は０．１ｍｓｅｃ、手ブレ補正無しモードでの電荷蓄積期間は１６．７ｍｓｅｃである。従って、読み出し開始行の変更幅Ｄｍａｘは、以下の数式１で表される。読み出し開始行の変更幅Ｄｍａｘは、上記の数値を用いて、例えば６７行以内に制限される。
Ｄｍａｘ≦（Ｔ２‐Ｔ１）／Ｔｏｕｔ＝（１６．７ｍｓｅｃ‐１０ｍｓｅｃ）／０．１ｍｓｅｃ＝６７  …  （数式１）
【手続補正７】
【補正対象書類名】明細書
【補正対象項目名】００４５
【補正方法】変更
【補正の内容】
【００４５】
図６（ｂ）の時刻ｔ１８では、第２フィールドの＋６７行の読み出し開始行変更に伴い、第６８行目からの読み出しが開始される。第１フィールドと同様に、１行分の読み出しは０．１ｍｓｅｃ、電荷蓄積時間は１０ｍｓｅｃであるため、第６８行目＋６７行である第１３５行目の読み出し完了後、時刻ｔ１９で第３フィールドのでの読み出し開始行をリセットし、蓄積を開始する必要がある。第３フィールドの読み出し開始行は、時刻ｔ１８で得られた＋１０行と第２フィールドでの手振れ補正残り＋２３行とを加算した＋３３行を、第２フィールドの読み出し開始行の第６８行に加算して第１０１行目となる。時刻ｔ１９では、第２フィールドの第１０１行目の読み出しが完了しているため、第３フィールドの読み出し開始行を第１０１行目とする設定が可能である。さらに、第３フィールドでは手ブレ補正残りが解消される。
【手続補正８】
【補正対象書類名】明細書
【補正対象項目名】００４６
【補正方法】変更
【補正の内容】
【００４６】
図６（ｂ）の時刻ｔ２０では、第３フィールドにおいて上記の読み出し開始行変更に伴って、第１０１行目から読み出しが開始される。第１０１行目＋６７行目である第１６８行目の読み出し完了後の時刻ｔ２１では、第４フィールドでの読み出し開始行をリセットし、蓄積を開始する。第４フィールドの読み出し開始行は、時刻ｔ２０で得られた−１００行（第５のステップＳ５０１に対応）と第３フィールドでの手ブレ補正残り０行（図５のステップＳ５０２に対応）とを加算する。その加算結果−１００行を、第３フィールドでの読み出し開始行の第１０１行目に加算し、読み出し開始行が第１行目となる。時刻ｔ２１では、第３フィールドでの第１行目の読み出しは行われていないため、第４フィールドの読み出し開始行を第１行目とする設定が可能である。ただし、上記第２フィールドでの読み出し開始行の変更時に、＋６７行という制限を設けているため、手ブレ補正効果の方向の対称性を保つために、ここでは−６７行に制限する（図５のステップＳ５０８で「Ｎｏ」）。そして、第４フィールドでの読み出し開始行を第１０１行目―６７行として第３４行目とする（図５のステップＳ５１０に対応）。時刻ｔ２１における第３４行目は第３フィールドで読み出されていないため、第４フィールドでの読み出し開始行の設定が可能である。ただし、第４フィールドでの補正残りが−３３行となる。